(57)【要約】【課題】デジタル音声信号を補償用の信号として利用することにより、映像信号を安定して補償すると共に、映像出力装置に良好な映像と音声を出力させて、効果的なプレゼンテーションを実現することの出来る、ケーブル延長装置の提供。【解決手段】信号受信器の減衰補償量演算手段６０、６１、６２、６３、６７、６８、６９、７０は、信号送信器からのデジタル音声信号ＬＲＤに配列されたパルスの減衰に基づいて、映像信号の減衰補償量ＧＬ、ＧＨを演算し、信号受信器の映像信号減衰補償手段６０、６１は、演算された減衰補償量ＧＬ、ＧＨに基づいて、映像信号ＲＡＴ、ＧＡＴ、ＢＡＴの減衰を補償するので、画像の解像度やディスプレイの機種に関係なく、映像信号の減衰を安定して補償することが出来、映像出力装置に、良好な映像と共に音声を出力させることが出来る。【選択図】  図４
2005033403.tif 000002
【特許請求の範囲】
【請求項１】
映像信号を入力することの出来る、信号送信器を設け、該信号送信器と信号線を介して接続自在であって、該信号線を介して前記信号送信器から受信した前記映像信号を、出力することの出来る、信号受信器を設けて構成した、ケーブル延長装置において、
前記信号送信器は、
音声信号の入力を受け付ける、音声信号受付手段を設け、
前記音声信号受付手段に入力された音声信号を、デジタルデータのパルスが配列されたデジタル音声信号として、前記信号線を介して前記信号受信器に出力する、デジタル音声信号送信手段を設け、
前記信号受信器は、
前記信号送信器から受信したデジタル音声信号に配列されたパルスの減衰に基づいて、前記信号送信器から受信する映像信号の減衰補償量を演算する、減衰補償量演算手段を設け、
前記減衰補償量演算手段により演算された減衰補償量に基づいて、前記信号送信器から受信した映像信号の減衰を補償する、映像信号減衰補償手段を設けて構成したケーブル延長装置。
【請求項２】
前記信号受信器は、前記信号送信器から受信したデジタル音声信号に配列されたパルスを、複数の帯域に分離する、帯域分離手段を設け、
前記信号受信器の減衰補償量演算手段は、前記帯域分離手段により複数の帯域に分離されたそれぞれのパルスの減衰に基づいて、前記減衰補償量を帯域ごとに演算する、帯域別補償量演算手段を有しており、
前記信号受信器の映像信号減衰補償手段は、前記帯域別補償量演算手段により演算された帯域ごとの減衰補償量に基づいて、前記信号送信器から受信した映像信号の減衰を帯域ごとに補償する、帯域別映像信号補償手段を有する、
ことを特徴とする請求項１記載のケーブル延長装置。
【請求項３】
前記デジタル音声信号送信手段が出力するデジタル音声信号に配列されたパルスは、矩形波からなる、
ことを特徴とする請求項１記載のケーブル延長装置。
【請求項４】
前記信号送信器は、
該信号送信器のデジタル音声信号送信手段が出力するデジタル音声信号を、前記デジタル音声信号の各デジタルデータに対応した周波数のパルスが配列された、デジタル変調信号に変換する、デジタル音声信号変換手段を設け、
前記信号送信器のデジタル音声信号送信手段は、前記デジタル変調信号を、前記信号線を介して前記信号受信器に出力し、
前記信号受信器の減衰補償量演算手段は、前記信号送信器から受信したデジタル変調信号に配列されたパルスの減衰に基づいて、前記信号送信器から受信する映像信号の減衰補償量を演算する、
ことを特徴とする請求項１記載のケーブル延長装置。
【請求項５】
前記信号受信器は、前記信号送信器から受信したデジタル変調信号に配列されたパルスを、複数の帯域に分離する、帯域分離手段を設け、
前記信号受信器の減衰補償量演算手段は、前記帯域分離手段により複数の帯域に分離されたそれぞれのパルスの減衰に基づいて、前記減衰補償量を帯域ごとに演算する、帯域別補償量演算手段を有しており、
前記信号受信器の映像信号減衰補償手段は、前記帯域別補償量演算手段により演算された帯域ごとの減衰補償量に基づいて、前記信号送信器から受信した映像信号の減衰を帯域ごとに補償する、帯域別映像信号補償手段を有する、
ことを特徴とする請求項４記載のケーブル延長装置。
【請求項６】
前記デジタル音声信号送信手段が出力するデジタル変調信号に配列されたパルスは、矩形波からなる、
ことを特徴とする請求項４記載のケーブル延長装置。
【発明の詳細な説明】
【０００１】
【発明の属する技術分野】
本発明は、映像入力ソースからの映像を、映像入力ソースから離れた場所に配置した映像出力装置に表示することの出来る、ケーブル延長装置に係り、詳しくは、デジタル音声信号を補償用の信号として利用することにより、映像信号を安定して補償すると共に、映像出力装置に良好な映像と音声を出力させて、効果的なプレゼンテーションを実現することの出来る、ケーブル延長装置に関する。
【０００２】
【従来の技術】
従来、この種のケーブル延長装置として、映像信号に対応した水平・垂直同期信号を構成する矩形波を補償用の信号として利用し、伝送された映像信号の減衰を補償することの出来る、ケーブル延長装置が知られている。このようなケーブル延長装置では、映像信号と別に補償用の信号を送信する必要がないので、ケーブル延長装置の構成を複雑化することなく、補償された良好な映像を、離れた場所に配置した映像出力装置に表示させることが出来、効果的なプレゼンテーションを実現することが出来る。
【０００３】
【発明が解決しようとする課題】
しかし、上述した水平・垂直同期信号を構成する矩形波は、画像の解像度やディスプレイの種類に応じてそのパルス幅や周期が変わるため、波形形状が決まった矩形波を安定して送信することが出来ず、映像信号を正確に補償することが出来ない不都合があった。その結果、映像信号を安定して補償することが出来ないため、効果的なプレゼンテーションを実現することが出来ない場合があった。
【０００４】
一方、映像を表示させながら、効果音や映像の解説などの音声を出力することによって、プレゼンテーションをより効果的なものとすることが出来ることから、映像出力装置に映像と共に音声を出力させることの出来る、ケーブル延長装置が望まれていた。
【０００５】
本発明は、上記した事情を鑑み、デジタル音声信号を補償用の信号として利用することにより、映像信号を安定して補償すると共に、映像出力装置に良好な映像と音声を出力させて、効果的なプレゼンテーションを実現することの出来る、ケーブル延長装置を提供することを目的とするものである。
【０００６】
【課題を解決するための手段】
請求項１の発明は、映像信号（例えば色信号Ｒ、Ｇ、Ｂ）を入力することの出来る、信号送信器（２）を設け、該信号送信器（２）と信号線（５Ａ、５Ｂ、５Ｃ、５Ｄ）を介して接続自在であって、該信号線（５Ａ、５Ｂ、５Ｃ、５Ｄ）を介して前記信号送信器（２）から受信した前記映像信号（例えば色信号Ｒ、Ｇ、Ｂ）を、出力することの出来る、信号受信器（３）を設けて構成した、ケーブル延長装置（１）において、
前記信号送信器（２）は、
音声信号（ＬＡ、ＲＡ）の入力を受け付ける、音声信号受付手段（４１）を設け、
前記音声信号受付手段（４１）に入力された音声信号（ＬＡ、ＲＡ）を、デジタルデータ（ＤＤ）のパルス（ＰＬ）が配列されたデジタル音声信号（ＬＲＤ）として、前記信号線（５Ａ、５Ｂ、５Ｃ、５Ｄ）を介して前記信号受信器（３）に出力する、デジタル音声信号送信手段（４１、４３）を設け、
前記信号受信器（３）は、
前記信号送信器（２）から受信したデジタル音声信号（例えばＬＲＡＴ）に配列されたパルス（例えばＰＬＡＴ）の減衰に基づいて、前記信号送信器（２）から受信する映像信号（ＲＡＴ、ＧＡＴ、ＢＡＴ）の減衰補償量（例えばＧＬ、ＧＨ）を演算する、減衰補償量演算手段（６０、６１、６２、６３、６７、６８、６９、７０）を設け、
前記減衰補償量演算手段（６０、６１、６２、６３、６７、６８、６９、７０）により演算された減衰補償量（例えばＧＬ、ＧＨ）に基づいて、前記信号送信器（２）から受信した映像信号（ＲＡＴ、ＧＡＴ、ＢＡＴ）の減衰を補償する、映像信号減衰補償手段（６０、６１）を設けて構成される。
【０００７】
請求項２の発明は、前記信号受信器（３）は、前記信号送信器（２）から受信したデジタル音声信号（例えばＬＲＡＴ）に配列されたパルス（例えばＰＬＡＴ）を、複数の帯域（例えば低域と高域）に分離する、帯域分離手段（６５、６６）を設け、
前記信号受信器（３）の減衰補償量演算手段は、前記帯域分離手段（６５、６６）により複数の帯域に分離されたそれぞれのパルス（ＰＬＡＴＬ、ＰＬＡＴＨ）の減衰に基づいて、前記減衰補償量（ＧＬ、ＧＨ）を帯域ごとに演算する、帯域別補償量演算手段（６０、６１、６２、６３、６７、６８、６９、７０）を有しており、
前記信号受信器（３）の映像信号減衰補償手段は、前記帯域別補償量演算手段（６０、６１、６２、６３、６７、６８、６９、７０）により演算された帯域ごとの減衰補償量（ＧＬ、ＧＨ）に基づいて、前記信号送信器（２）から受信した映像信号（ＲＡＴ、ＧＡＴ、ＢＡＴ）の減衰を帯域ごとに補償する、帯域別映像信号補償手段（６０、６１）を有する、
ことを特徴として構成される。
【０００８】
請求項３の発明は、前記デジタル音声信号送信手段（４１、４３）が出力するデジタル音声信号（ＬＲＤ）に配列されたパルス（ＰＬ）は、矩形波からなる、
ことを特徴として構成される。
【０００９】
請求項４の発明は、前記信号送信器（２）は、
該信号送信器（２）のデジタル音声信号送信手段（４１、４３）が出力するデジタル音声信号（ＬＲＤ）を、前記デジタル音声信号の各デジタルデータ（ＤＤ）に対応した周波数（例えば図５（ｂ）で示す１／Ｔ又は２／Ｔ）のパルス（ＰＬ０、ＰＬ１）が配列された、デジタル変調信号（ＬＲＤＭ）に変換する、デジタル音声信号変換手段（４５）を設け、
前記信号送信器（２）のデジタル音声信号送信手段（４１、４３）は、前記デジタル変調信号（ＬＲＤＭ）を、前記信号線（５Ａ、５Ｂ、５Ｃ、５Ｄ）を介して前記信号受信器（３）に出力し、
前記信号受信器（３）の減衰補償量演算手段（６０、６１、６２、６３、６７、６８、６９、７０）は、前記信号送信器（２）から受信した、デジタル変調信号（ＬＲＡＴ）に配列されたパルス（ＰＬＡＴＬ、ＰＬＡＴＨ）の減衰に基づいて、前記信号送信器（２）から受信する映像信号（ＲＡＴ、ＧＡＴ、ＢＡＴ）の減衰補償量（例えばＧＬ、ＧＨ）を演算する、
ことを特徴として構成される。
【００１０】
請求項５の発明は、前記信号受信器（３）は、前記信号送信器（２）から受信したデジタル変調信号（ＬＲＡＴ）に配列されたパルス（ＰＬＡＴ）を、複数の帯域（例えば低域と高域）に分離する、帯域分離手段（６５、６６）を設け、
前記信号受信器（３）の減衰補償量演算手段は、前記帯域分離手段（６５、６６）により複数の帯域に分離されたそれぞれのパルス（ＰＬＡＴＬ、ＰＬＡＴＨ）の減衰に基づいて、前記減衰補償量（ＧＬ、ＧＨ）を帯域ごとに演算する、帯域別補償量演算手段（６０、６１、６２、６３、６７、６８、６９、７０）を有しており、
前記信号受信器（３）の映像信号減衰補償手段は、前記帯域別補償量演算手段（６０、６１、６２、６３、６７、６８、６９、７０）により演算された帯域ごとの減衰補償量（ＧＬ、ＧＨ）に基づいて、前記信号送信器（２）から受信した映像信号（ＲＡＴ、ＧＡＴ、ＢＡＴ）の減衰を帯域ごとに補償する、帯域別映像信号補償手段（６０、６１）を有する、
ことを特徴として構成される。
【００１１】
請求項６の発明は、前記デジタル音声信号送信手段（４１、４３）が出力するデジタル変調信号（ＬＲＤＭ）に配列されたパルス（ＰＬ０、ＰＬ１）は、矩形波からなる、
ことを特徴として構成される。
【００１２】
【発明の効果】
請求項１の発明によれば、映像信号の減衰補償量（例えばＧＬ、ＧＨ）は、デジタル音声信号（ＬＲＡＴ）に配列されたパルス（ＰＬＡＴ）の減衰に基づいて演算され、映像信号（ＲＡＴ、ＧＡＴ、ＢＡＴ）の減衰は、上記演算された減衰補償量（例えばＧＬ、ＧＨ）に基づいて補償されるので、従来のように、映像信号に対応した水平・垂直同期信号を補償用の信号として利用することなく、映像信号（ＲＡＴ、ＧＡＴ、ＢＡＴ）の減衰を補償することが出来る。これにより、画像の解像度やディスプレイの機種に関係なく、映像信号の減衰を正確に補償することが出来るので、上記減衰を安定して補償することが出来る。しかも、音声信号が信号受信器（３）に出力されるので、映像出力装置に良好な映像と共に音声を出力させて、効果的なプレゼンテーションを実現することが出来る。
【００１３】
また、映像信号と別に補償用の信号を送信する必要がないので、音声信号を信号受信器（３）に送信するものでありながら、信号線（５Ａ、５Ｂ、５Ｃ、５Ｄ）の本数増加を防止することが出来、ケーブル延長装置（１）の構成を簡単にすることが出来る。
【００１４】
請求項２の発明によれば、映像信号（ＲＡＴ、ＧＡＴ、ＢＡＴ）の減衰を帯域（例えば低域と高域）ごとに補償するので、周波数によって異なる減衰率に応じて、映像信号の減衰を補償することが出来る。これにより、映像信号の減衰をきめ細かく補償することが出来、映像出力装置に、更に良好な映像を表示させることが出来る。
【００１５】
請求項３の発明によれば、デジタル音声信号（ＬＲＤ）に配列されたパルス（ＰＬ）は矩形波なので、比較的広い範囲の周波数成分が含まれたデジタル音声信号（ＬＲＤ）を、信号受信器（３）に出力することが出来る。これにより、デジタル音声信号（ＬＲＤ）の周波数分布は、映像信号に含まれるほとんどの周波数成分を網羅することが出来るので、映像信号の周波数分布に関係なく、映像信号（ＲＡＴ、ＧＡＴ、ＢＡＴ）の減衰を補償することが出来る。
【００１６】
請求項４の発明によれば、デジタル音声信号送信手段（４１、４３）は、デジタルデータ（ＤＤ）に対応した周波数のパルス（ＰＬ０、ＰＬ１）が配列されたデジタル変調信号（ＬＲＤＭ）を、信号受信器（３）に出力するので、デジタル音声信号（ＬＲＤ）のパルス（ＰＬ）の有無に関係なく、周期的なパルスを信号受信器（３）に出力することが出来る。これにより、デジタル音声信号（ＬＲＤ）にパルス（ＰＬ）のない場合（Ｌｏｗの状態が続く場合）があっても、上記周期的なパルスの減衰に基づいて、減衰補償量（ＧＬ、ＧＨ）を演算することが出来るので、映像信号（ＲＡＴ、ＧＡＴ、ＢＡＴ）の減衰を更に安定して補償することが出来る。
【００１７】
請求項５の発明によれば、映像信号（ＲＡＴ、ＧＡＴ、ＢＡＴ）の減衰を、周期的なパルス（ＰＬ０、ＰＬ１）の減衰に基づいて、帯域ごとに補償するので、映像信号（ＲＡＴ、ＧＡＴ、ＢＡＴ）の減衰を、安定して補償しながら、しかも、きめ細かく補償することが出来るので、映像出力装置に、更に良好な映像を安定して表示させることが出来る。
【００１８】
請求項６の発明によれば、周期的なパルス（ＰＬ０、ＰＬ１）は矩形波なので、映像信号（ＲＡＴ、ＧＡＴ、ＢＡＴ）の減衰を、安定して補償しながら、しかも、映像信号の周波数分布に関係なく補償することが出来る。
【００１９】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【００２０】
【発明の実施の形態】
図１は、本発明が適用されるケーブル延長装置の一例を示す外観図、図２は、信号送信器及び信号受信器の一例を示す外観図で、（ａ）は信号送信器の背面図、（ｂ）は信号受信器の背面図、図３は、信号送信器及び信号受信器の構成の一例を示すブロック図、図４は、減衰補償部の構成の一例を示すブロック図、図５は、変調処理の説明図で、（ａ）はシリアル音声信号の一例を示すタイムチャート、（ｂ）は（ａ）に示すシリアル音声信号を変調した、シリアル変調信号の一例を示すタイムチャート、図６は、減衰シリアル信号の波形図で、（ａ）は減衰前のパルス、（ｂ）は（ａ）に示すパルスが減衰した、減衰パルス、（ｃ）は（ｂ）に示す減衰パルスの低域波形、（ｄ）は（ｂ）に示す減衰パルスの高域波形、図７は、クロックパルス再生処理の説明図で、（ａ）はシリアル変調信号の一例を示すタイムチャート、（ｂ）は（ａ）に示すシリアル変調信号に基づく、クロックパルス再生信号の一例を示すタイムチャートである。
【００２１】
ケーブル延長装置１は、図１に示すように、信号送信器２と、信号受信器３とを有しており、信号送信器２は、映像信号が伝送自在なケーブルと接続自在に構成されている。
【００２２】
映像信号としては、ＲＧＢ信号や、ＹＰｂＰｒ信号やＹＣｂＣｒ信号などのコンポーネント信号（輝度信号と色差信号が分離された３つの信号）がある。ＲＧＢ信号用のケーブルとしては、ＢＮＣ（Ｂａｙｏｎｅｔ  Ｎｅｉｌｌ  Ｃｏｎｃｅｌｍａｎ）コネクタ（図示せず）を両端に備えたＢＮＣケーブルや、ＤＳＵＢコネクタ（図示せず）を両端に備えたＤＳＵＢケーブルがあり、コンポーネント信号用のケーブルとしては、上述と同様、ＢＮＣケーブルがある。
【００２３】
また、信号送信器２は、音声信号が伝送自在なケーブルが接続自在に構成されている。音声信号としては、アナログ信号又はデジタル信号がある。アナログ信号にはモノラルやステレオなどがあり、このようなアナログ信号用のケーブルとしては、例えば、ＲＣＡピンプラグをケーブルの両端に備えたＲＣＡケーブルなどがある。
【００２４】
図１に示す信号送信器２は、例えばパソコン（パーソナルコンピュータ）９の本体９Ａと、ＲＣＡケーブル７Ａを介して接続されており、また、該パソコン９のディスプレイ９Ｂと、ＢＮＣケーブル６Ａを介して接続されている。なお、映像入力ソースとしては、特にパソコン９に限る必要はなく、ＲＧＢ信号やコンポーネント信号の映像信号が出力自在であれば、いずれの装置であってもよい。
【００２５】
次いで、信号送信器２と信号受信器３は、映像信号と音声信号とが伝送自在なケーブルと接続自在に構成されている。このようなケーブルとしては、例えば、ＲＪ−４５（Ｒｅｇｉｓｔｅｒｅｄ  Ｊａｃｋ−４５）のモジュラプラグ（図示せず）を両端に備えた、ＬＡＮケーブルなどがある。ＬＡＮケーブルには、ＥＩＡ／ＴＩＡ（米国電子工業会／米国電気通信工業会）の５６８規格で定められるカテゴリ５（ＣＡＴ５）やカテゴリ６（ＣＡＴ６）の区分に分類された、４本のツイストペア線からなるＵＴＰ（Ｕｎｓｈｉｅｌｄ  Ｔｗｉｓｔｅｄ  Ｐａｉｒ）ケーブルなどがある。
【００２６】
図１に示す信号送信器２と信号受信器３とは、ＬＡＮケーブル５を介して接続されている。ＬＡＮケーブル５は、所定のケーブル長（例えば１００ｍ）を有しており、従って、信号送信器２と信号受信器３は、該ＬＡＮケーブル５が接続された状態で、最長、上記ケーブル長の距離だけ離れた位置に配置自在である。
【００２７】
一方、信号受信器３は、信号送信器２と同様に、映像信号用のケーブルとして、例えばＢＮＣケーブルやＤＳＵＢケーブルが接続自在に構成されており、また、音声信号用のケーブルとして、例えばＲＣＡケーブルが接続自在に構成されている。
【００２８】
図１に示す信号受信器３は、例えばプラズマディスプレイ１０と、ＢＮＣケーブル６Ｂ及びＲＣＡケーブル７Ｂを介して接続されている。なお、映像出力装置としては、特にプラズマディスプレイ１０に限る必要はなく、ＲＧＢ信号やコンポーネント信号などの映像信号を入力・表示自在であれば、いずれの装置であってもよい。
【００２９】
図２は、信号送信器２及び信号受信器３の一例を示す外観図で、（ａ）は信号送信器２の背面図、（ｂ）は信号受信器３の背面図を示している。信号送信器２は、図２（ａ）に示すように、筐体２０を有しており、筐体２０には、端子盤２０ａが設けられている。端子盤２０ａには、入力端子として、ＢＮＣケーブル用入力端子２１、ＤＳＵＢケーブル用入力端子２２、及び音声信号入力端子２３が設けられており、また出力端子として、ＬＡＮケーブル用出力端子２５ａ、２５ｂが設けられている。
【００３０】
ＢＮＣケーブル用入力端子２１は、ＲＧＢ信号が入力自在な５個の入力端子により構成されている。具体的には、ＢＮＣケーブル用入力端子２１は、ＲＧＢ信号の、Ｒ（赤）信号Ｒ、Ｇ（緑）信号Ｇ、及びＢ（青）信号Ｂにそれぞれ対応する、Ｒ入力端子２１Ｒ、Ｇ入力端子２１Ｇ、及びＢ入力端子２１Ｂと、ＲＧＢ信号の、水平同期信号ＨＤ、及び垂直同期信号ＶＤにそれぞれ対応する、ＨＤ入力端子２１Ｈ、及びＶＤ入力端子２１Ｖとを有している。
【００３１】
なお、以下の説明では、特に区別の必要がないときは、Ｒ信号Ｒ、Ｇ信号Ｇ、及びＢ信号Ｂを、単に、色信号Ｒ、Ｇ、Ｂと表現し、また、水平同期信号ＨＤ、及び垂直同期信号ＶＤを、単に、同期信号ＨＤ、ＶＤと表現する。
【００３２】
ＤＳＵＢケーブル用入力端子２２は、上述したＢＮＣケーブル用入力端子２１と同様に、ＲＧＢ信号が入力自在であり、「Ｄ」形状のシェル２２ａ内を３列に配列された、１５個のメスピンからなる入力ピン２２Ｒ、２２Ｇ、２２Ｂ、２２Ｈ、２２Ｖ、…  により構成されている。具体的には、ＤＳＵＢケーブル用入力端子２２は、Ｒ信号、Ｇ信号、及びＢ信号にそれぞれ対応する、Ｒ入力ピン２２Ｒ、Ｇ入力ピン２２Ｇ、及びＢ入力ピン２２Ｂと、水平同期信号ＨＤ、及び垂直同期信号ＶＤにそれぞれ対応する、ＨＤ入力ピン２２Ｈ、及びＶＤ入力ピン２２Ｖとを有している。
【００３３】
これら、ＢＮＣケーブル用入力端子２１及びＤＳＵＢケーブル用入力端子２２は、それぞれ入力チャンネルとして機能しており、即ち、信号送信器２は、２つの入力チャンネルを有している。また、信号送信器２には、例えば正面側（図２の紙面裏側）に、該入力チャンネルの選択スイッチ（図示せず）が設けられている。従って、信号送信器２は、オペレータによる該選択スイッチの操作により、いずれかの入力チャンネルから入力された映像信号を出力できるように、構成されている。なお、入力チャンネル数は、特に２つである必要はなく、単数又は３つ以上の複数のいずれでもよい。
【００３４】
音声信号入力端子２３は、ステレオのアナログ信号（以下「アナログ音声信号ＬＡ、ＲＡ」という。）が入力自在なＲＣＡピンジャックにより構成されており、左のアナログ音声信号ＬＡに対応する、左音声信号入力端子２３Ｌと、右のアナログ音声信号ＲＡに対応する、右音声信号入力端子２３Ｒとを有している。
【００３５】
ＬＡＮケーブル用出力端子２５ａ、２５ｂは、上述したＲＪ−４５のモジュラジャックにより構成され、ＬＡＮケーブル５のモジュラプラグに対応して、それぞれ８極の接触子（図示せず）を有している。
【００３６】
ところで、ＬＡＮケーブル５は、上述したように、４本のツイストペア線を有している。各ツイストペア線は、ノイズを低減するように互いに逆論理の信号を平衡伝送する、２本の信号線が撚り合わせて構成されている。従って、計８本の信号線が、上記８極の接触子にそれぞれ対応している。
【００３７】
なお、以下の説明では、発明の理解を容易にするために、１本のツイストペア線を１本の信号線として、ＬＡＮケーブル５は、４本の信号線５Ａ、５Ｂ、５Ｃ、５Ｄ（図３中央に図示）で構成されているものとする。従って、ＬＡＮケーブル用出力端子２５ａ、２５ｂの接触子については、これら信号線５Ａ、５Ｂ、５Ｃ、５Ｄにそれぞれ対応する、出力接触子２５Ｒ、２５Ｇ、２５Ｂ、２５Ａ（図３中央に図示）のみについて説明する。
【００３８】
また、信号送信器２には、ＢＮＣケーブル用入力端子２１又はＤＳＵＢケーブル用入力端子２２に入力された映像信号と、音声信号入力端子２３に入力された音声信号とを、ＬＡＮケーブル用出力端子２５ａ、２５ｂに分配する、分配手段（図示せず）が設けられている。なお、ＬＡＮケーブル用出力端子２５ａ、２５ｂの数は、特に２つである必要はなく、単数又は３つ以上の複数のいずれでもよい。その場合、上記分配手段を、その数に応じた信号を各出力端子に分配できるように構成すればよい。
【００３９】
一方、信号受信器３は、図２（ｂ）に示すように、上述した信号送信器２と同様に、筐体３０を有しており、筐体３０には、端子盤３０ａが設けられている。端子盤３０ａには、入力端子として、ＬＡＮケーブル用入力端子３１が設けられており、また出力端子として、ＢＮＣケーブル用出力端子３２、及び音声信号出力端子３３が設けられている。
【００４０】
ＬＡＮケーブル用入力端子３１は、信号送信器２のＬＡＮケーブル用出力端子２５ａ、２５ｂと同様に、ＲＪ−４５のモジュラジャックにより構成され、ＬＡＮケーブル５のモジュラプラグに対応して、８極の接触子（図示せず）を有している。また、以下の説明では、上述したＬＡＮケーブル用出力端子２５ａ、２５ｂと同様に、上記８極の接触子のうち、ＬＡＮケーブル５の信号線５Ａ、５Ｂ、５Ｃ、５Ｄにそれぞれ対応する、入力接触子３１Ｒ、３１Ｇ、３１Ｂ、３１Ａ（図３中央に図示）のみについて説明する。
【００４１】
ＢＮＣケーブル用出力端子３２は、信号送信器２のＢＮＣケーブル用入力端子２１と同様に、ＲＧＢ信号が出力自在な５個の出力端子により構成されており、Ｒ信号、Ｇ信号、及びＢ信号にそれぞれ対応する、Ｒ出力端子３２Ｒ、Ｇ出力端子３２Ｇ、及びＢ出力端子３２Ｂと、水平同期信号ＨＤ、及び垂直同期信号ＶＤにそれぞれ対応する、ＨＤ出力端子３２Ｈ、及びＶＤ出力端子３２Ｖとを有している。
【００４２】
音声信号出力端子３３は、信号送信器２の音声信号入力端子２３と同様に、アナログ音声信号ＬＡ、ＲＡが出力自在なＲＣＡピンジャックにより構成されており、左のアナログ音声信号ＬＡに対応する、左音声信号出力端子３３Ｌと、右のアナログ音声信号ＲＡに対応する、右音声信号出力端子３３Ｒとを有している。
【００４３】
図３は、信号送信器２及び信号受信器３の構成の一例を示すブロック図を示している。図中左方に示す信号送信器（破線枠内）２は、同期信号付加部４０、ＡＤ変換部４１、クロック発生部４２、データ加工部４３、及び変調部４５などを有している。
【００４４】
同期信号付加部４０は、ＢＮＣケーブル用入力端子２１又はＤＳＵＢケーブル用入力端子２２と、分配手段（図示せず）を介して接続されている。具体的には、選択スイッチ（図示せず）により、入力チャンネルが、ＢＮＣケーブル用入力端子２１が選択された場合、Ｒ入力端子２１Ｒ、Ｇ入力端子２１Ｇ、Ｂ入力端子２１Ｂ、ＨＤ入力端子２１Ｈ、及びＶＤ入力端子２１Ｖに接続される。一方、ＤＳＵＢケーブル用入力端子２２が選択された場合、Ｒ入力ピン２２Ｒ、Ｇ入力ピン２２Ｇ、Ｂ入力ピン２２Ｂ、ＨＤ入力ピン２２Ｈ、及びＶＤ入力ピン２２Ｖに接続される。
【００４５】
ＡＤ変換部４１は、音声信号入力端子２３の、左音声信号入力端子２３Ｌ、及び右音声信号入力端子２３Ｒに接続されている。クロック発生部４２は、ＡＤ変換部４１に接続されており、ＡＤ変換部４１及び同期信号付加部４０は、データ加工部４３に接続されている。また、データ加工部４３は、変調部４５に接続されている。
【００４６】
そして、同期信号付加部４０は、ＬＡＮケーブル用出力端子２５ａ、２５ｂの出力接触子２５Ｒ、２５Ｇ、２５Ｂに接続されており、変調部４５は、ＬＡＮケーブル用出力端子２５ａ、２５ｂの出力接触子２５Ａに接続されている。
【００４７】
一方、図３中右方に示す信号受信器（破線枠内）３は、減衰補償部５０、２値化部５１、復調部５２、クロック再生部５３、同期信号分離部５５、同期信号復元部５６、音声信号復元部５７、及びＤＡ変換部５８などを有している。
【００４８】
減衰補償部５０は、ＬＡＮケーブル用入力端子３１の入力接触子３１Ｒ、３１Ｇ、３１Ｂ、３１Ａに接続されており、２値化部５１は、ＬＡＮケーブル用入力端子３１の入力接触子３１Ａに接続されている。
【００４９】
減衰補償部５０は、同期信号分離部５５に接続されており、同期信号分離部５５は、同期信号復元部５６に接続されている。一方、２値化部５１は、復調部５２、及びクロック再生部５３に接続されている。復調部５２、及びクロック再生部５３は、音声信号復元部５７に接続されており、音声信号復元部５７は、同期信号復元部５６、及びＤＡ変換部５８に接続されている。
【００５０】
そして、同期信号分離部５５は、ＢＮＣケーブル用出力端子３２の、Ｒ出力端子３２Ｒ、Ｇ出力端子３２Ｇ、及びＢ出力端子３２Ｂに接続されており、同期信号復元部５６は、ＢＮＣケーブル用出力端子３２の、ＨＤ出力端子３２Ｈ、及びＶＤ出力端子３２Ｖに接続されている。また、ＤＡ変換部５８は、音声信号出力端子３３の、左音声信号出力端子３３Ｌ、及び左音声信号出力端子３３Ｒに接続されている。
【００５１】
図４は、図３に示す減衰補償部５０の構成の一例を示すブロック図を示している。減衰補償部（破線枠内）５０は、ＡＧＣ（自動利得制御）回路を構成しており、具体的には、低域映像補償部６０、高域映像補償部６１、低域矩形波補償部６２、高域矩形波補償部６３、ローパスフィルタ６５、ハイパスフィルタ６６、低域ピーク検出部６７、高域ピーク検出部６８、低域ゲイン調整部６９、及び高域ゲイン調整部７０などを有している。
【００５２】
低域映像補償部６０は、ＬＡＮケーブル用入力端子３１の入力接触子３１Ｒ、３１Ｇ、３１Ｂに接続されており、また、高域映像補償部６１を介して、同期信号分離部５５（図３参照）に接続されている。低域矩形波補償部６２は、ＬＡＮケーブル用入力端子３１の入力接触子３１Ａに接続されている。
【００５３】
低域矩形波補償部６２は、高域矩形波補償部６３を介して、ローパスフィルタ６５、及びハイパスフィルタ６６に接続されている。ローパスフィルタ６５は、低域ピーク検出部６７を介して、低域ゲイン調整部６９に接続されており、一方、ハイパスフィルタ６６は、高域ピーク検出部６８を介して、高域ゲイン調整部７０に接続されている。そして、低域ゲイン調整部６９は、上述した低域映像補償部６０及び低域矩形波補償部６２に接続されており、高域ゲイン調整部７０は、上述した高域映像補償部６１及び高域矩形波補償部６３に接続されている。
【００５４】
ケーブル延長装置１は、以上のような構成を有するので、例えばパソコン９からの映像信号と音声信号とを、例えばプラズマディスプレイ１０に出力させるには、オペレータは、パソコン９、信号送信器２、信号受信器３、及びプラズマディスプレイ１０のそれぞれの間を、所定のケーブルを介して接続する。
【００５５】
なお、パソコン９からの映像信号は、５つの信号（色信号Ｒ、Ｇ、Ｂ、及び同期信号ＨＤ、ＶＤ）から構成される、ＲＧＢ信号であり、また、パソコン９からの音声信号は、２つの信号（左右のアナログ音声信号ＬＡ、ＲＡ）から構成される、ステレオのアナログ音声信号であるものとする。従って、入力される信号の数は計７つである。
【００５６】
本発明は、信号送信器２と信号受信器３とを接続するケーブルが、上述した７つの信号を個別に伝送することが可能な場合にも（つまり信号線の本数が７本以上の場合にも）適用することが出来るが、本発明の特徴を説明する例としては、信号の数より少ない本数の信号線からなるケーブルを用いた実施形態が適切であるので、本発明の実施の形態では、信号送信器２と信号受信器３とが、図１に示すように、４本の信号線で構成されるＬＡＮケーブル５を介して接続された場合について説明する。この際、信号送信器２のＬＡＮケーブル用出力端子は、２５ａのみを使用するものとする。
【００５７】
従って、ＬＡＮケーブル用出力端子２５ａの出力接触子２５Ｒは、図３中央に示すように、ＬＡＮケーブル５の信号線５Ａを介して、ＬＡＮケーブル用入力端子３１の入力接触子３１Ｒに接続されることになる。同様に、出力接触子２５Ｇは、信号線５Ｂを介して入力接触子３１Ｇに、出力接触子２５Ｂは、信号線５Ｃを介して入力接触子３１Ｂに、出力接触子２５Ａは、信号線５Ｄを介して入力接触子３１Ａに接続されることになる。
【００５８】
また、簡便な説明とするために、図１に示すように、映像入力ソースをパソコン９のみとして、該パソコン９をＢＮＣケーブル６Ａ及びＲＣＡケーブル７Ａを介して、信号送信器２に接続したとする。また、映像入力ソースをプラズマディスプレイ１０のみとして、該プラズマディスプレイ１０をＢＮＣケーブル６Ｂ及びＲＣＡケーブル７Ｂを介して、信号受信器３に接続したとする。
【００５９】
この状態で、オペレータが、パソコン９、信号送信器２、信号受信器３、及びプラズマディスプレイ１０をそれぞれ起動し、信号送信器２の選択スイッチ（図示せず）により、ＢＮＣケーブル入力端子２１を入力チャンネルとして選択し、パソコン９の入力手段（図示せず）を介して、映像信号及び音声信号の出力指令を入力したとする。
【００６０】
すると、色信号Ｒ、Ｇ、Ｂ、及び同期信号ＨＤ、ＶＤが、パソコンの本体９Ａからディスプレイ９Ｂ及びＢＮＣケーブル６Ａを介して、信号送信器２に出力される。また、上記ＲＧＢ信号に同期した、アナログ音声信号ＬＡ、ＲＡが、パソコンの本体９ＡからＲＣＡケーブル７Ａを介して、信号送信器２に出力される。
【００６１】
出力された、Ｒ信号Ｒ、Ｇ信号Ｇ、Ｂ信号Ｂ、水平同期信号ＨＤ、及び垂直同期信号ＶＤは、図３中左方に示すように、それぞれ、Ｒ入力端子２１Ｒ、Ｇ入力端子２１Ｇ、Ｂ入力端子２１Ｂ、ＨＤ入力端子２１Ｈ、及びＶＤ入力端子２１Ｖを介して、同期信号付加部４０に入力される。また、出力された、左のアナログ音声信号ＬＡ、及び右のアナログ音声信号ＲＡは、それぞれ、左音声信号入力端子２３Ｌ、及び右音声信号入力端子２３Ｒを介して、ＡＤ変換部４１に入力される。
【００６２】
同期信号付加部４０は、入力された、色信号Ｒ、Ｇ、Ｂ、及び同期信号ＨＤ、ＶＤ（つまり５つの信号）を、ＬＡＮケーブル５の信号線５Ａ、５Ｂ、５Ｃ、５Ｄのうち、３本の信号線５Ａ、５Ｂ、５Ｃを介して、信号受信器３に送信するために、同期信号ＨＤ、ＶＤを、Ｂ信号Ｂに重畳する。以下、同期信号ＨＤ、ＶＤが重畳されたＢ信号Ｂを、Ｂ信号ＢＰと表現する。なお、同期信号ＨＤ、ＶＤが重畳される色信号は、特にＢ信号Ｂである必要はなく、また、同期信号ＨＤ、ＶＤを、それぞれ別々の色信号（例えばＲ信号Ｒ、Ｂ信号Ｂ）に重畳させてもよい。
【００６３】
具体的には、同期信号付加部４０は、入力された同期信号ＨＤ、ＶＤの極性を判定し、同期信号ＨＤ、ＶＤの極性を正と判定した場合、同期信号ＨＤ、ＶＤの極性を反転させてＢ信号Ｂに重畳する。一方、同期信号ＨＤ、ＶＤの極性を負と判定した場合、極性を反転することなく、同期信号ＨＤ、ＶＤをそのままＢ信号Ｂに重畳する。
【００６４】
同期信号ＨＤ、ＶＤの極性は、画像の解像度やディスプレイの機種などによって異なるが（正又は負の場合があるが）、このように同期信号ＨＤ、ＶＤを常に負の極性でＢ信号Ｂに重畳することにより、信号が互いに混ざり合うことを防止することが出来、後述する信号受信器３側で、同期信号ＨＤ、ＶＤをＢ信号ＢＰから容易に分離することが出来る。
【００６５】
次いで、同期信号付加部４０は、後述する信号受信器３側で、同期信号ＨＤ、ＶＤを復元するために、上述した同期信号ＨＤ、ＶＤの極性についての判定結果に基づいて、例えば、極性が正の場合は「１」また負の場合は「０」の、極性情報ＰＩを、データ加工部４３に出力する。
【００６６】
こうして、同期信号ＨＤ、ＶＤをＢ信号Ｂに重畳すると、同期信号付加部４０は、Ｒ信号Ｒ、Ｇ信号Ｇ、及びＢ信号ＢＰを、それぞれ、ＬＡＮケーブル用出力端子２５ａの出力接触子２５Ｒ、２５Ｇ、２５Ｂに出力する。
【００６７】
一方、パソコンの本体９Ａから出力されたアナログ音声信号ＬＡ、ＲＡは、既に述べたように、音声信号入力端子２３Ｌ、２３Ｒを介してＡＤ変換部４１に入力されている。後述するようにデータ加工部４３は、入力されたアナログ音声信号ＬＡ、ＲＡ（つまり２つの信号）を、ＬＡＮケーブル５の信号線５Ａ、５Ｂ、５Ｃ、５Ｄのうち１本の信号線５Ｄを介して信号受信器３に送信するために、パラレル／シリアル変換を行うが、これにあたり、ＡＤ変換部４１は、入力されたアナログ音声信号ＬＡ、ＲＡを、デジタル信号に変換（ＡＤ変換）する。
【００６８】
具体的に説明すると、クロック発生部４２には、ＯＳＣ（水晶発振器）が設けられており、信号送信器２の起動後、常時、所定周波数（例えば１１．３ＭＨｚ）のクロックパルスＣＰをＡＤ変換部４１に出力している。ＡＤ変換部４１は、入力されたクロックパルスＣＰの周波数を（例えば１／２５６に）分周し、分周したクロックパルスＣＰの周波数を、サンプリング周波数（例えば４４．１ｋＨｚ）として、入力されたアナログ音声信号ＬＡ、ＲＡを、それぞれサンプリングする。
【００６９】
ここでは、サンプリング１回あたりのビット長（量子化ビット数）は、８ビットに設定されているものとする。従って、ＡＤ変換部４１は、アナログ音声信号ＬＡ、ＲＡをサンプリングすると、サンプリング毎に、８ビットのデジタルデータＤＤ（１又は０）のパルスＰＬを順次発生させる。なお、以下の説明では、８ビットのデジタルデータＤＤを、音声データＳＤと表現する。
【００７０】
デジタルデータＤＤのパルスＰＬとは、デジタルデータＤＤの変化（０→１又は１→０）に対応した電圧Ｖの変化をいい、その電圧Ｖの変化は、電圧Ｖの立ち上がり及び立ち下がりを示すエッジ部ＰＥ（後述）で表される。なお、電圧Ｖの変化は正負のいずれでもよいが、ここでは、パルスＰＬの振幅が、正の電圧「Ｖ０」に設定されているものとする。
【００７１】
具体的には、サンプリングされたアナログ音声信号ＬＡ、ＲＡの、音声データＳＤが、図５（ａ）に示すように、例えば「００１０１１００」の場合、時点ｔ３で、デジタルデータＤＤが０→１に変化するので、ＡＤ変換部４１は、これに対応して電圧Ｖを０からＶ０に変化させ、時点ｔ４で、デジタルデータＤＤが１→０に変化すると、電圧Ｖを０に変化させる。従って、デジタルデータＤＤが変化する時点ｔ３、ｔ４で、エッジ部ＰＥで電圧の変化が表された、パルスＰＬが発生されることになる。
【００７２】
同様に、時点ｔ５で、デジタルデータＤＤが再び０→１に変化すると、ＡＤ変換部４１は、電圧Ｖを再び０からＶ０に変化させ、時点ｔ７で、デジタルデータＤＤが１→０に変化すると、電圧Ｖを０に変化させる。従って、音声データＳＤ「００１０１１００」に対応して、時点ｔ３−ｔ４間、及び時点ｔ５−ｔ７間で、振幅Ｖ０のパルスＰＬが配列されることになる。
【００７３】
ＡＤ変換部４１は、サンプリングした左右のアナログ音声信号ＬＡ、ＲＡについてそれぞれ、上述したＡＤ変換を行ない、デジタル信号に変換した音声信号（以下「デジタル音声信号ＬＤ、ＲＤ」という。）をデータ加工部４３に出力する。なお、以下の説明では、左のデジタル音声信号ＬＤが示す音声データＳＤを、左音声データＳＤＬと表現し、右のデジタル音声信号ＲＤが示す音声データＳＤを、右音声データＳＤＲと表現する。
【００７４】
データ加工部４３は、デジタル音声信号ＬＤ、ＲＤが入力されると、デジタル音声信号ＬＤ、ＲＤをパラレル／シリアル変換する。
【００７５】
具体的には、データ加工部４３は、左音声データＳＤＬと、右音声データＳＤＲとを、所定の順番で配列する。上記配列は、デジタル音声信号ＬＤ、ＲＤをシリアル化するものであればどのような順番でもよいが、ここでは、左右の音声データＳＤＬ、ＳＤＲをサンプリング毎に左、右の順に配列するように、設定されているものとする。なお、左右の音声データＳＤＬ、ＳＤＲの間の領域と、左右の音声データＳＤＬ、ＳＤＲが配列されて次の左右の音声データＳＤＬ、ＳＤＲが配列されるまでの領域には、それぞれ、所定のデータ長が設けられており、以下の説明では、このような領域を非音声データ領域ＮＤＡという。
【００７６】
従って、データ加工部４３は、サンプリング毎に、左右の音声データＳＤＬ、ＳＤＲを、左、右の順に、順次配列して、入力されたデジタル音声信号ＬＤ、ＲＤを、シリアル化した音声信号（以下「シリアル音声信号ＬＲＤ」という。）に変換する。
【００７７】
なお、信号送信器２に入力される音声信号は、必ずしもアナログ信号である必要はなく、例えば、ＣＤ（コンパクトディスク）、ＤＶＤ（デジタル多用途ディスク）などに用いられるデジタル信号の場合は、ＡＤ変換部４１によるＡＤ変換は必要ない。また、入力される音声信号が、既にシリアル信号である場合は、データ加工部４３によるパラレル／シリアル変換も必要ない。
【００７８】
データ加工部４３は、デジタル音声信号ＬＤ、ＲＤをパラレル／シリアル変換すると、サンプリングごとの区切りを示す特定のパターンと、同期信号付加部４０から入力された極性情報ＰＩとを、それぞれ、非音声データ領域ＮＤＡの所定位置に付加して、特定のパターン及び極性情報ＰＩを付加したシリアル音声信号ＬＲＤを、変調部４５に出力する。
【００７９】
こうして、デジタル音声信号ＬＤ、ＲＤがパラレル／シリアル変換されると、変調部４５は、入力されたシリアル音声信号ＬＲＤを、シリアル変調信号ＬＲＤＭに変調する。ここで、図５（ａ）に示すシリアル音声信号ＬＲＤが変調部４５に入力された場合の、変調処理について具体的に説明する。
【００８０】
変調部４５は、信号送信器２が起動されてから、入力されるシリアル音声信号ＬＲＤの電圧Ｖを、図５に示すビットタイムＴ（１ビットあたりの時間幅）毎に検出しており、検出した電圧Ｖが所定の閾電圧（例えばＶ０／２）を超えたか否かを判定している。変調部４５は、検出した電圧Ｖが、所定の閾電圧（例えばＶ０／２）を超えていないと判定した場合（つまりＬｏｗが入力された場合）、周期Ｔの矩形波を出力し、所定の閾電圧（例えばＶ０／２）を超えたと判定した場合（つまりＨｉｇｈが入力された場合）、周期Ｔ／２の矩形波を出力する。
【００８１】
従って、図５（ａ）に示すシリアル音声信号ＬＲＤが、図中左側から（時点ｔ１側から）、変調部４５に入力されると、入力されたシリアル音声信号ＬＲＤの電圧Ｖは時点ｔ１で「０」なので、変調部４５は、対応する時点ｔ１１で、電圧Ｖが所定の閾電圧を超えていないと判定し、図５（ｂ）に示すようにパルスＰＬ０を発生させる。シリアル音声信号ＬＲＤの電圧Ｖは、時点ｔ２でも「０」なので、変調部４５は、対応する時点ｔ１２で、上述と同様の判定を行い、パルスＰＬ０を発生させる。
【００８２】
シリアル音声信号ＬＲＤの電圧Ｖが、時点ｔ３で「Ｖ０」になると、変調部４５は、対応する時点ｔ１３で、電圧Ｖが所定の閾電圧を超えていると判定し、図５（ｂ）に示すようにパルスＰＬ１を発生させる。
【００８３】
シリアル音声信号ＬＲＤの電圧Ｖが、時点ｔ４で再び「０」になると、変調部４５は、対応する時点ｔ１４で、電圧Ｖが所定の閾電圧を超えていないと判定し、再び、上述したパルスＰＬ０を発生させる。以下同様に、変調部４５は、時点ｔ１５から時点１７までパルスＰＬ１を発生させ、時点ｔ１７から時点１９までパルスＰＬ０を発生させる。
【００８４】
このように、変調部４５は、図５に示すように、入力されるシリアル音声信号ＬＲＤの電圧ＶのＨｉｇｈ／Ｌｏｗに応じて、即ち、シリアル音声信号ＬＲＤのデジタルデータＤＤに対応させて、周期を変化させた矩形波を出力することにより、シリアル音声信号ＬＲＤを変調する。こうして、シリアル音声信号ＬＲＤを変調すると、変調部４５は、変調したシリアル音声信号ＬＲＤをシリアル変調信号ＬＲＤＭとして、ＬＡＮケーブル用出力端子２５ａの出力接触子２５Ａに出力する。
【００８５】
こうして、図３中央に示すように、同期信号付加部４０から出力された、Ｒ信号Ｒ、Ｇ信号Ｇ、Ｂ信号ＢＰは、それぞれ、ＬＡＮケーブル用出力端子２５ａの出力接触子２５Ｒ、２５Ｇ、２５Ｂを介して、信号送信器２から出力される。変調部４５から出力されたシリアル変調信号ＬＲＤＭも同様に、ＬＡＮケーブル用出力端子２５ａの出力接触子２５Ａを介して、信号送信器２から出力される。
【００８６】
Ｒ信号Ｒ、Ｇ信号Ｇ、Ｂ信号ＢＰ、及びシリアル変調信号ＬＲＤＭは、信号送信器２から出力されると、それぞれ、ＬＡＮケーブル５の信号線５Ａ、５Ｂ、５Ｃ、５Ｄを、信号受信器３に向かって伝送してゆく。即ち、７つの信号（色信号Ｒ、Ｇ、Ｂ、同期信号ＨＤ、ＶＤ、及び左右のアナログ音声信号ＬＡ、ＲＡ）が、ＬＡＮケーブル５を構成する４本の信号線５Ａ、５Ｂ、５Ｃ、５Ｄを介して、信号受信器３に送信されることになる。
【００８７】
ところで、映像信号や音声信号などの電気信号がケーブルを伝送すると、これらの信号は、ケーブルを構成する信号線の材質や寸法（線径や長さ）、信号の周波数などに応じて減衰する。この量は減衰率ＡＱ（単位は［ｄＢ］）で表され、減衰率ＡＱは、材質の抵抗率が大きいほど、線径が小さいほど、信号線が長いほど、信号の周波数が高いほど大きくなる。
【００８８】
ここでは、簡便な説明とするため、ＬＡＮケーブル５を構成する信号線５Ａ、５Ｂ、５Ｃ、５Ｄは、材質、線径、及びケーブル長が、いずれも同じとする。従って、信号線５Ａ、５Ｂ、５Ｃ、５Ｄの各減衰率ＡＱは、それぞれに伝送する信号の周波数のみに応じて変化することになる。
【００８９】
一方、あらゆる信号は、フーリエ展開に基づく多様な周波数の正弦波（周波数成分）によって表すことが出来るので、信号の波形形状に関係なく、信号に含まれる個々の周波数成分の振幅は、それぞれの周波数に応じた減衰率ＡＱに基づいて減衰することになる。
【００９０】
即ち、色信号Ｒ、Ｇ、ＢＰは、時々刻々と変化する映像に応じた波形であるのに対し、シリアル変調信号ＬＲＤＭは、図５（ｂ）に示すように矩形波であるので、色信号Ｒ、Ｇ、ＢＰと、シリアル変調信号ＬＲＤＭとの波形形状は全く異なるものであるが、互いに共通して含まれる同じ周波数成分は、その減衰率ＡＱが同じである。
【００９１】
従って、色信号Ｒ、Ｇ、ＢＰ、及びシリアル変調信号ＬＲＤＭは、それぞれ、信号線５Ａ、５Ｂ、５Ｃ、５Ｄを伝送することにより、それぞれに共通して含まれる同じ周波数成分が同じ割合で減衰して、ＬＡＮケーブル用入力端子３１の入力接触子３１Ｒ、３１Ｇ、３１Ｂ、３１Ａに入力されることになる。
【００９２】
以下の説明では、それぞれ減衰した、色信号Ｒ、Ｇ、ＢＰ、及びシリアル変調信号ＬＲＤＭを、図３中央に示すように、減衰Ｒ信号ＲＡＴ、減衰Ｇ信号ＧＡＴ、減衰Ｂ信号ＢＡＴ、及び減衰シリアル信号ＬＲＡＴと表現する。また、減衰Ｒ信号ＲＡＴ、減衰Ｇ信号ＧＡＴ、減衰Ｂ信号ＢＡＴを、特に区別の必要がないときは、減衰色信号ＲＡＴ、ＧＡＴ、ＢＡＴと表現する。
【００９３】
ここで、減衰シリアル信号ＬＲＡＴのパルスＰＬ０（以下「減衰パルスＰＬＡＴ」という。）ついて、図６に沿って説明する。図６は、減衰シリアル信号ＬＲＡＴの波形図で、（ａ）は減衰前のパルスＰＬ０、（ｂ）は減衰パルスＰＬＡＴ、（ｃ）は減衰パルスＰＬＡＴの低域波形、（ｄ）は減衰パルスＰＬＡＴの高域波形を示している。なお、同図（ｂ）ないし（ｄ）に示す減衰した波形形状は、発明の理解を容易にするために簡易的に示している。
【００９４】
シリアル変調信号ＬＲＤＭのパルスＰＬ０は、図６（ａ）に示すように、減衰前では矩形波である。矩形波には、低域から高域まで（理論的には無限の周波数まで）の広い範囲の周波数成分が含まれ、このうち、高域の周波数成分により、電圧Ｖの立ち上がり及び立ち下がりを示す、エッジ部ＰＥが形成される。
【００９５】
減衰率ＡＱは、上述したように周波数が高いほど大きくなるので、シリアル変調信号ＬＲＤＭがＬＡＮケーブル５を伝送すると、高域の周波数成分ほど振幅が減衰する。従って、パルスＰＬ０は、その振幅が一律に減衰することなく、図６（ｂ）に示すように、エッジ部ＰＥ周辺の振幅が特に減衰して、減衰パルスＰＬＡＴ（実線）は、パルスＰＬ０（破線）に対してハッチング部が減衰した波形形状を呈する。
【００９６】
また、シリアル変調信号ＬＲＤＭのパルスＰＬ１も、図５（ｂ）に示すように矩形波であるので、ＬＡＮケーブル５を伝送すると、図６（ｂ）に示す減衰パルスＰＬＡＴと同様に、エッジ部ＰＥ（図示せず）周辺の振幅が、特に減衰することになる。
【００９７】
これらパルスＰＬ０、ＰＬ１で構成されるシリアル変調信号ＬＲＤＭは、アナログ音声信号ＬＡ、ＲＡの変化によって、パルスＰＬ０、ＰＬ１の数が変化するものの、予め、波形形状の決まった矩形波（振幅Ｖ０で周期Ｔ又はＴ／２）で構成されていることから、色信号Ｒ、Ｇ、Ｂと異なり、概ね決まった周波数分布（スペクトラム）を有している。
【００９８】
従って、シリアル変調信号ＬＲＤＭの周波数分布から、上述したパルスＰＬ０、ＰＬ１の減衰に基づいて、周波数に応じた減衰率ＡＱを予測することが出来る。減衰率ＡＱは、既に述べたように波形形状に関係なく周波数のみに応じて変化することから、シリアル変調信号ＬＲＤＭの周波数分布から予測した減衰率ＡＱで、色信号Ｒ、Ｇ、ＢＰの減衰を補償することが出来る。
【００９９】
即ち、本発明は、このシリアル変調信号ＬＲＤＭの周波数分布を元に、減衰した周波数成分の振幅の変位量を演算し、演算した変位量に応じて、Ｒ信号Ｒ、Ｇ信号Ｇ、Ｂ信号Ｂのそれぞれにシリアル変調信号ＬＲＤＭと共通して含まれる、同じ周波数成分の減衰を補償して、色信号Ｒ、Ｇ、Ｂの減衰を補償するものである。
【０１００】
なお、本発明の実施の形態では、減衰シリアル信号ＬＲＡＴを低域と高域との２つの帯域に分けて、減衰色信号ＲＡＴ、ＧＡＴ、ＢＡＴを補償する一例について説明するが、必ずしも２つの帯域に分ける必要はなく、例えば、高域側のみを補償して、おおまかに減衰を補償してもよく、あるいは、減衰をきめ細かく補償する場合は、３つ以上の帯域に分けて減衰を補償するようにしてもよい。
【０１０１】
こうして、信号受信器３に入力された、減衰Ｒ信号ＲＡＴ、減衰Ｇ信号ＧＡＴ、減衰Ｂ信号ＢＡＴは、それぞれ、ＬＡＮケーブル用入力端子３１の入力接触子３１Ｒ、３１Ｇ、３１Ｂを介して、減衰補償部５０に入力される。また、信号受信器３に入力された減衰シリアル信号ＬＲＡＴは、ＬＡＮケーブル用入力端子３１の入力接触子３１Ａを介して、減衰補償部５０及び２値化部５１に入力される。
【０１０２】
減衰色信号ＲＡＴ、ＧＡＴ、ＢＡＴは、減衰補償部５０に入力されると、図４中左方に示すように、減衰補償部５０（破線枠）内の低域映像補償部６０に入力され、減衰補償部５０に入力された減衰シリアル信号ＬＲＡＴは、減衰補償部５０内の低域矩形波補償部６２に入力される。
【０１０３】
なお、図４に示す減衰補償部５０内の低域ゲイン調整部６９及び高域ゲイン調整部７０から、後述するゲイン調整電圧ＶＧＨ、ＶＧＬが、まだ、低域映像補償部６０、高域映像補償部６１、低域矩形波補償部６２、及び高域矩形波補償部６３に出力されていないものとする。従って、減衰シリアル信号ＬＲＡＴは、低域矩形波補償部６２を介して高域矩形波補償部６３から、減衰したままの形で出力される。出力された減衰シリアル信号ＬＲＡＴは、分岐されて、ローパスフィルタ６５及びハイパスフィルタ６６に、それぞれ入力される。
【０１０４】
ローパスフィルタ６５は、入力された減衰シリアル信号ＬＲＡＴに含まれる、所定高帯域の周波数成分をカットして、図６（ｃ）に示すように、所定低帯域の周波数成分（以下「低域周波数成分ＬＦ」という。）からなる減衰シリアル信号ＬＲＡＴ（以下「低域減衰信号ＬＲＡＴＬ」という。）を通過させる。
【０１０５】
また、ハイパスフィルタ６６は、ローパスフィルタ６５とは逆に、入力された減衰シリアル信号ＬＲＡＴに含まれる、所定低帯域の周波数成分をカットして、図６（ｄ）に示すように、所定高帯域の周波数成分（以下「高域周波数成分ＨＦ」という。）からなる減衰シリアル信号ＬＲＡＴ（以下「高域減衰信号ＬＲＡＴＨ」という。）を通過させる。
【０１０６】
図６（ｃ）、（ｄ）に示す低域減衰信号ＬＲＡＴＬ、及び高域減衰信号ＬＲＡＴＨでは、同図（ｂ）で説明した減衰パルスＰＬＡＴが、それぞれ、ローパスフィルタ６５を通過したパルス（以下「低域減衰パルスＰＬＡＴＬ」という。）、及びハイパスフィルタ６６を通過したパルス（以下「高域減衰パルスＰＬＡＴＨ」という。）を、実線で示している。なお、同図（ｃ）、（ｄ）には、比較のために、減衰していないシリアル変調信号ＬＲＤＭが、同様に、ローパスフィルタ６５を通過した場合のパルス（以下「低域パルスＰＬＬ」という。）、及びハイパスフィルタ６６を通過した場合のパルス（以下「高域パルスＰＬＨ」という。）を、破線で示している。
【０１０７】
即ち、ローパスフィルタ６５は、図６（ｃ）に示すように、低域パルスＰＬＬ（破線）に対してピーク電圧が差分電圧ΔＶＬだけ減衰した、ピーク電圧ＶＡＴＬの低域減衰パルスＰＬＡＴＬ（実線）を、低域ピーク検出部６７に出力する。
【０１０８】
また、ハイパスフィルタ６６は、図６（ｄ）に示すように、高域パルスＰＬＨ（破線）に対してピーク電圧が差分電圧ΔＶＨだけ減衰した、ピーク電圧ＶＡＴＨの高域減衰パルスＰＬＡＴＨ（実線）を、高域ピーク検出部６８に出力する。既に述べたように、周波数が高いほど減衰率ＡＱが大きいので、ピーク電圧Ｖ０は図６（ｃ）の場合に比べて大きく減衰して、上記差分電圧ΔＶＨは、同図（ｃ）に示す差分電圧ΔＶＬより大きいものとなる。
【０１０９】
こうして、ローパスフィルタ６５から低域減衰信号ＬＲＡＴＬの低域減衰パルスＰＬＡＴＬ（図６（ｃ）参照）が出力されると、低域ピーク検出部６７は、入力された低域減衰パルスＰＬＡＴＬのピーク電圧ＶＡＴＬを検出して、低域ゲイン調整部６９に出力する。
【０１１０】
また、ハイパスフィルタ６６から高域減衰信号ＬＲＡＴＨの高域減衰パルスＰＬＡＴＨ（図６（ｄ）参照）が出力されると、高域ピーク検出部６８も、上記低域ピーク検出部６７と同様に、入力された高域減衰パルスＰＬＡＴＨのピーク電圧ＶＡＴＨを検出して、高域ゲイン調整部７０に出力する。
【０１１１】
低域ゲイン調整部６９及び高域ゲイン調整部７０は、それぞれ、図示しない比較器が設けられており、それぞれの比較器には、図６（ｃ）、（ｄ）に示す低域パルスＰＬＬ、高域パルスＰＬＨのピーク電圧と同じ、電圧Ｖ０が、常時基準電圧として入力されている。
【０１１２】
従って、低域ゲイン調整部６９は、電圧ＶＡＴＬが入力されると、入力された、電圧Ｖ０と電圧ＶＡＴＬとの差分電圧ΔＶＬを演算し、演算した差分電圧ΔＶＬに応じた低域ゲイン調整電圧ＶＧＬを、低域映像補償部６０に出力すると共に、低域矩形波補償部６２にフィードバックする。
【０１１３】
また、高域ゲイン調整部７０も、上記低域ゲイン調整部６９と同様に、電圧ＶＡＴＨが入力されると、入力された、電圧Ｖ０と電圧ＶＡＴＨとの差分電圧ΔＶＨを演算し、演算した差分電圧ΔＶＨに応じた高域ゲイン調整電圧ＶＧＨを、高域映像補償部６１に出力すると共に、高域矩形波補償部６３にフィードバックする。
【０１１４】
低域映像補償部６０、低域矩形波補償部６２、高域映像補償部６１及び高域矩形波補償部６３は、それぞれ、図示しない可変ゲインアンプが設けられている。低域映像補償部６０及び低域矩形波補償部６２に設けられている可変ゲインアンプは、低域ゲインＧＬ（図４中の６０、６２のカッコ内に示す。）が、順次入力される低域ゲイン調整電圧ＶＧＬを加算した電圧に基づいて、調整自在に構成されている。また、高域映像補償部６１及び高域矩形波補償部６３に設けられている可変ゲインアンプも同様に、高域ゲインＧＨ（図４中の６０、６２のカッコ内に示す。）が、順次入力される高域ゲイン調整電圧ＶＧＨを加算した電圧に基づいて、調整自在に構成されている。
【０１１５】
従って、低域映像補償部６０に、低域ゲイン調整電圧ＶＧＬが入力されると、低域ゲインＧＬが、入力された低域ゲイン調整電圧ＶＧＬに基づいて所定値に調整される。この状態で、減衰色信号ＲＡＴ、ＧＡＴ、ＢＡＴが入力されると、低域映像補償部６０は、入力された減衰色信号ＲＡＴ、ＧＡＴ、ＢＡＴのそれぞれに、共通して含まれる低域周波数成分ＬＦを、調整された低域ゲインＧＬに応じて所定倍に増幅させる。そして、低域映像補償部６０は、低域周波数成分ＬＦが所定倍に増幅された減衰色信号ＲＡＴ、ＧＡＴ、ＢＡＴを、高域映像補償部６１に出力する。
【０１１６】
また、高域映像補償部６１に、高域ゲイン調整電圧ＶＧＨが入力されると、高域ゲインＧＨが、入力された高域ゲイン調整電圧ＶＧＨに基づいて所定値に調整される。この状態で、低域映像補償部６０が出力した減衰色信号ＲＡＴ、ＧＡＴ、ＢＡＴが入力されると、高域映像補償部６１は、入力された減衰色信号ＲＡＴ、ＧＡＴ、ＢＡＴのそれぞれに、共通して含まれる高域周波数成分ＨＦを、調整された高域ゲインＧＨに応じて所定倍に増幅させる。これら減衰色信号ＲＡＴ、ＧＡＴ、ＢＡＴは、低域映像補償部６０により、既に、低域周波数成分ＬＦが所定倍に増幅されているので、高域及び低域の両帯域が所定倍に増幅されることになる。
【０１１７】
一方、上記低域ゲイン調整電圧ＶＧＬが、低域矩形波補償部６２にフィードバックされると、低域ゲインＧＬが、入力された低域ゲイン調整電圧ＶＧＬに基づいて所定値に調整される。この状態で、減衰シリアル信号ＬＲＡＴが入力されると、低域矩形波補償部６２は、上述した低域映像補償部６０と同様に、入力された減衰シリアル信号ＬＲＡＴに含まれる低域周波数成分ＬＦを、調整した低域ゲインＧＬに応じて所定倍に増幅させる。そして、低域矩形波補償部６２は、低域周波数成分ＬＦが所定倍に増幅された減衰シリアル信号ＬＲＡＴを、高域矩形波補償部６３に出力する。
【０１１８】
また同様に、上記高域ゲイン調整電圧ＶＧＨが、高域矩形波補償部６３にフィードバックされると、高域ゲインＧＨが、入力された高域ゲイン調整電圧ＶＧＨに基づいて所定値に調整される。この状態で、低域矩形波補償部６２が出力した減衰シリアル信号ＬＲＡＴが入力されると、高域矩形波補償部６３は、上述した高域映像補償部６１と同様に、入力された減衰シリアル信号ＬＲＡＴに含まれる高域周波数成分ＨＦを、調整された高域ゲインＧＨに応じて所定倍に増幅させる。減衰シリアル信号ＬＲＡＴは、低域音声矩形波補償部６２により、既に、高域周波数成分ＨＦが所定倍に増幅されているので、上述した減衰色信号ＲＡＴ、ＧＡＴ、ＢＡＴと同様に、高域及び低域の両帯域が所定倍に増幅されることになる。
【０１１９】
こうして、減衰シリアル信号ＬＲＡＴが所定倍に増幅されると、低域減衰パルスＰＬＡＴＬ、及び高域減衰パルスＰＬＡＴＨのそれぞれのピーク電圧ＶＡＴＬ、ＶＡＴＨ（図６（ｃ）、（ｄ）参照）は、元のピーク電圧Ｖ０に近付くので、差分電圧ΔＶＬ、ΔＶＨが小さくなる。
【０１２０】
従って、所定倍に増幅された減衰シリアル信号ＬＲＡＴが、再び、高域矩形波補償部６３から、ローパスフィルタ６５、及びハイパスフィルタ６６に入力されると、差分電圧ΔＶＬ、ΔＶＨが小さくなった分、低域ゲイン調整電圧ＶＧＬ、及び高域ゲイン調整電圧ＶＧＨが小さくなるので、低域ゲインＧＬ、及び高域ゲインＧＨの増分が小さくなる。
【０１２１】
このように、上述したフィードバックを繰り返してゆくと、低域ゲインＧＬ、及び高域ゲインＧＨの増分が次第に小さくなりながら、減衰補償部５０に順次入力される減衰色信号ＲＡＴ、ＧＡＴ、ＢＡＴ、及び減衰シリアル信号ＬＲＡＴが、その低域ゲインＧＬ、及び高域ゲインＧＨに基づいて、増幅される。そして、図６（ｃ）、（ｄ）に示す低域減衰パルスＰＬＡＴＬ、及び高域減衰パルスＰＬＡＴＨのそれぞれのピーク電圧が、元のピーク電圧Ｖ０に到達して、差分電圧ΔＶＬ、ΔＶＨが０となったところで、低域ゲインＧＬ、及び高域ゲインＧＨが所定値に到達する。
【０１２２】
従って、差分電圧ΔＶＬ、ΔＶＨが０となるので、図６（ｂ）に示す減衰パルスＰＬＡＴは、エッジ部ＰＥ周辺のハッチング部分が補償されて、その波形形状が、元のパルスＰＬ０の波形形状（図６（ａ）に示す矩形波）に回復することになる。また、上記パルスＰＬ０と同様に減衰したパルスＰＬ１は、図５（ｂ）に示すように、パルスＰＬ０と周期のみが（２倍で）異なり、比較的似た波形形状なので、その周波数分布がパルスＰＬ１と広い範囲で重複している。従って、減衰パルスＰＬＡＴがパルスＰＬ０の波形形状に回復することにより、パルスＰＬ１の波形形状もほぼ回復することになる。
【０１２３】
同時に、減衰色信号ＲＡＴ、ＧＡＴ、ＢＡＴも同様に、所定値に到達した低域ゲインＧＬ、及び高域ゲインＧＨにより、これに含まれる低域周波数成分ＬＦと高域周波数成分ＨＦとの減衰が補償されて、元の波形形状に回復することになる。
【０１２４】
色信号Ｒ、Ｇ、Ｂの波形形状は、時々刻々と変化する映像に応じて変わるので、それぞれの周波数分布も同様に時々刻々と変化するが、既に述べたように、それぞれの周波数分布に減衰シリアル信号ＬＲＡＴと共通して含まれる、同じ周波数成分は、その減衰率ＡＱが同じなので、色信号Ｒ、Ｇ、Ｂのそれぞれの周波数成分の減衰は、これら周波数分布の変化に拘わらず補償され、減衰補償部５０に順次入力される減衰色信号ＲＡＴ、ＧＡＴ、ＢＡＴは、問題なくその減衰が補償されてゆく。
【０１２５】
なお、減衰シリアル信号ＬＲＡＴを（つまり音声信号を）、減衰色信号ＲＡＴ、ＧＡＴ、ＢＡＴの減衰に対する補償用の信号としてのみに利用する例を示したが、減衰シリアル信号ＬＲＡＴを、上記補償用の信号として利用しながら、更に、減衰シリアル信号ＬＲＡＴの減衰を補償した信号を、高域矩形波補償部６３から出力させて、音声信号として用いることも可能である。
【０１２６】
また、ＡＧＣ回路として図４に示す構成を示したが、必ずしもこのような構成である必要はなく、パルスの減衰に伴う振幅の変位量（差分電圧）に基づいて、減衰した信号を補償する回路であれば、どのような構成であってもよい。例えば、帯域に分離した波形をそれぞれ所定ゲインで増幅した後に、分離した全ての波形を加算するような構成であってもよい。
【０１２７】
このように、アナログ音声信号ＬＡ、ＲＡを、予め、波形形状の決まったパルスを配列したデジタル信号に変換するので、これらパルスの減衰に基づいて減衰率ＡＱを予測することが出来、予測した減衰率ＡＱに応じて、減衰色信号ＲＡＴ、ＧＡＴ、ＢＡＴの減衰を補償することが出来る。
【０１２８】
なお、上述したＡＤ変換部４１によるＡＤ変換として、アナログ信号を量子化したデジタル信号に変換する、ＰＣＭ（パルス符号変調）について説明したが、パルスが、デジタルデータＤＤを示すパルスであれば（つまり振幅又はパルス幅が変化するアナログパルスでなければ）、特に上記ＰＣＭに限る必要はなく、例えば、ＰＰＭ（パルス位相変調）、ＰＦＭ（パルス周波数変調）でもよい。また、パルスの波形は、必ずしも矩形波である必要はなく、台形波、三角波、半波正弦波でもよい。但し、矩形波は広い範囲の周波数を含むことから、きめ細かく減衰を補償出来る点で、矩形波が好ましい。
【０１２９】
また、シリアル音声信号ＬＲＤは、そのデジタルデータＤＤに対応して（Ｈｉｇｈ／Ｌｏｗに応じて）周期を変化させたパルスＰＬ０、ＰＬ１からなる、シリアル変調信号ＬＲＤＭに変調されるので、デジタル音声信号ＬＲＤのパルスＰＬの有無に関係なく、信号受信器３に、周期的なパルスを送信することが出来る。これにより、例えばパルスＰＬのない場合（つまりＬｏｗの状態が継続する場合）であっても、減衰色信号ＲＡＴ、ＧＡＴ、ＢＡＴの減衰を安定して補償することが出来る。
【０１３０】
なお、変調処理として、上述したように、シリアル音声信号ＬＲＤを、周期ＴとするパルスＰＬ０と、周期Ｔ／２とするパルスＰＬ１とからなる矩形波に変調する一例を示したが、特に、周期をＴ、Ｔ／２に限る必要はなく、パルスＰＬ０とパルスＰＬ１との周期が異なる組み合わせであれば、いずれの周期の組み合わせであってもよい。
【０１３１】
また、本発明の実施の形態にあっては、シリアル変調信号ＬＲＤＭに配列されたパルスＰＬ０、ＰＬ１の減衰に基づいて、減衰色信号ＲＡＴ、ＧＡＴ、ＢＡＴの減衰を補償する一例を示したが、必ずしも、上述した変調処理後の音声信号により減衰を補償する必要なく、変調処理前の音声信号、即ち、シリアル音声信号ＬＲＤに配列されたパルスＰＬの減衰に基づいて、減衰色信号ＲＡＴ、ＧＡＴ、ＢＡＴの減衰を補償してもよい。
【０１３２】
こうして、高域映像信号補償部６１は、図４に示すように、減衰色信号ＲＡＴ、ＧＡＴ、ＢＡＴの減衰を補償すると、補償した減衰色信号ＲＡＴ、ＧＡＴ、ＢＡＴを、色信号Ｒ、Ｇ、ＢＰとして、同期信号分離部５５に出力する。
【０１３３】
ところで、減衰シリアル信号ＬＲＡＴは、既に述べたように、減衰補償部５０と共に、２値化部５１に入力されている。２値化部５１には、図示しないコンパレータが設けられており、コンパレータは、入力された減衰シリアル信号ＬＲＡＴの波形形状を整形して、シリアル変調信号ＬＲＤＭとして、復調部５２及びクロック再生部５３に出力する。
【０１３４】
復調部５２は、シリアル変調信号ＬＲＤＭが入力されると、シリアル変調信号ＬＲＤＭをシリアル音声信号ＬＲＤに変換することにより、図５で説明した変調処理と逆の復調処理を行う。シリアル変調信号ＬＲＤＭを復調すると、復調部５２は、図３に示すように、シリアル音声信号ＬＲＤを音声信号復元部５７に出力する。音声信号復元部５７は、シリアル音声信号ＬＲＤが入力されると、シリアル音声信号ＬＲＤの非音声データ領域ＮＤＡに付加した特定のパターンに基づいて、極性情報ＰＩ、及び左右の音声データＳＤＬ、ＳＤＲの位置を特定すると共に、特定された極性情報ＰＩの位置に基づいて、非音声データ領域ＮＤＡから極性情報ＰＩを分離して、分離された極性情報ＰＩを同期信号復元部５６に出力する。
【０１３５】
一方、同期信号分離部５５は、Ｂ信号ＢＰが入力されると、Ｂ信号ＢＰから、同期信号ＨＤ、ＶＤを分離し、分離された、極性が負の同期信号ＨＤ、ＶＤを、同期信号復元部５６に出力する。
【０１３６】
こうして、同期信号復元部５６は、音声信号復元部５７から受けた極性情報ＰＩに基づいて、同期信号分離部５５から受けた極性が負の同期信号ＨＤ、ＶＤを元に、信号送信器２に入力された同期信号ＨＤ、ＶＤを復元する。例えば、極性情報ＰＩが「１」の場合、極性が正であるとして、同期信号ＨＤ、ＶＤの極性を反転し、一方、極性情報ＰＩが「０」の場合、極性が負であるとして、同期信号ＨＤ、ＶＤの極性を反転させない。
【０１３７】
一方、クロック再生部５３は、シリアル変調信号ＬＲＤＭが入力されると、シリアル変調信号ＬＲＤＭに基づいて、クロックパルスを再生する。ここで、クロックパルスの再生処理について、図７に沿って説明する。図７は、クロックパルス再生処理についての説明図で、（ａ）はシリアル変調信号ＬＲＤＭの一例を示すタイムチャート、（ｂ）は（ａ）に示すシリアル変調信号ＬＲＤＭに基づく、クロックパルス再生信号の一例を示すタイムチャートである。
【０１３８】
クロック再生部５３には、図示しないワンショット・マルチバイブレータ（単安定マルチバイブレータ）が設けられており、トリガパルスが入力されると、パルス幅が「３Ｔ／４」のパルスＰＬ２を出力するように設定されている。
【０１３９】
従って、シリアル変調信号ＬＲＤＭが、図７（ａ）中左側から（時点ｔ１１から）クロック再生部５３に入力されると、図７（ｂ）に示すように、時点２１で、クロック再生部５３は、時点ｔ１１からのパルスＰＬ０により、トリガパルスが入力されたものとして、パルスＰＬ２を出力する。即ち、時点ｔ１１からのパルスＰＬ０のパルス幅が、Ｔ／２から３Ｔ／４に延長されることになる。時点２２で、時点ｔ１２からのパルスＰＬ０が、クロック再生部５３に入力された場合も同様である。
【０１４０】
次いで、時点２３で、時点ｔ１３からのパルスＰＬ１が、クロック再生部５３に入力されると、クロック再生部５３は、上述と同様に、トリガパルスが入力されたものとしてパルスＰＬ２を出力する。この際、時点ｔ２３’で、時点ｔ１３’からのパルスＰＬ１がクロック再生部５３に入力されるが、パルスＰＬ２が既に時点ｔ２３から出力されているので、時点ｔ１３、ｔ１３’からのパルスＰＬ１は、当該パルスＰＬ２に包含されることになる。以下同様に、クロック再生部５３は、パルスＰＬ０、ＰＬ１に応じて、パルスＰＬ２を周期的に配列してゆく。
【０１４１】
こうして、クロック再生部５３は、シリアル変調信号ＬＲＤＭのパルスＰＬ０、ＰＬ１のそれぞれの個数に関係なく、周期的なパルスＰＬ２が配列された信号（以下「クロックパルス再生信号ＬＲＣＰ」という。）を生成することが出来る。
【０１４２】
また、クロック再生部５３には、図示しないＰＬＬ（位相同期ループ）が設けられており、クロックパルス再生信号ＬＲＣＰを生成すると、上記ＰＬＬは、生成したクロックパルス再生信号ＬＲＣＰの周波数を逓倍して、信号送信器２のクロック発生部４２が発生するクロックパルスＣＰと同じ周波数（例えば１１．３ＭＨｚ）のクロックパルス（以下「再生クロックパルスＣＰＲＢ」という。）を再生する。こうしてクロック再生部５３は、再生クロックパルスＣＰＲＢを音声信号復元部５７に出力する。
【０１４３】
なお、ワンショット・マルチバイブレータを用いた、クロックパルス再生処理の一例を示したが、シリアル変調信号ＬＲＤＭに基づいて、一定周期のパルスを生成する処理であれば、必ずしもワンショット・マルチバイブレータを用いる必要はない。
【０１４４】
音声信号復元部５７は、クロック再生部５３から再生クロックパルスＣＰＲＢが入力されると、再生クロックパルスＣＰＲＢの周波数を（例えば１／２５６に）分周する。また、音声信号復元部５７に入力されたシリアル音声信号ＬＲＤの左右の音声データＳＤＬ、ＳＤＲは、既に述べたように、その配列された位置が特定されているので、音声信号復元部５７は、分周した再生クロックパルスＣＰＲＢの周波数をサンプリング周波数（例えば４４．１ｋＨｚ）として、入力されたシリアル音声信号ＬＲＤをシリアル／パラレル変換し、左右のデジタル音声信号ＬＤ、ＲＤを、ＤＡ変換部５８に出力する。ＤＡ変換部５８は、左右のデジタル音声信号ＬＤ、ＲＤが入力されると、デジタル音声信号ＬＤ、ＲＤをアナログ音声信号ＬＡ、ＲＡに変換する。
【０１４５】
ところで、電気信号は、ケーブルを伝送すると、そのケーブル長に応じて位相ずれが生じることから、信号線５Ｄを伝送したシリアル変調信号ＬＲＤＭも、信号線５Ｄの長さに応じて、信号送信器２のクロックパルスＣＰに対して、位相ずれが生じている。
【０１４６】
この場合に、信号受信器３側で、信号送信器２のクロックパルスＣＰと同じ周波数のクロックパルスを発生させたとしても、上記シリアル変調信号ＬＲＤＭは、位相ずれが生じているため、信号受信器３側で発生させたクロックパルスと同期が取れない場合や、たとえ、ほぼ同期が取れたとしても、微小な位相ずれが時間の経過により、音声データＳＤの一部のデータを欠落させてしまう場合がある。従って、アナログ音声信号ＬＡ、ＲＡを元通りに再生するためには、従来、欠落したデータを補間する処理が必要であった。
【０１４７】
一方、クロック再生部５３より再生された再生クロックパルスＣＰＲＢは、その元となる信号が、信号線５Ｄを伝送したシリアル変調信号ＬＲＤＭなので、信号送信器２のクロックパルスＣＰに対して、位相ずれが生じているが、いずれの信号ＣＰＲＢ、ＬＲＤＭも、同一のＯＳＣ（水晶発振器）が発生したクロックパルスＣＰに基づいて生成された信号なので、信号送信器２のクロックパルスＣＰに対する位相ずれ量は、いずれも同じである。
【０１４８】
従って、信号線５Ｄを伝送したシリアル変調信号ＬＲＤＭは、再生クロックパルスＣＰＲＢに対して、位相ずれが生じないので、当該再生クロックパルスＣＰＲＢと同期を取ることが出来、上述したような、欠落したデータを補間する処理を行うことなく、シリアル変調信号ＬＲＤＭの音声データＳＤを漏れなく、アナログ音声信号ＬＡ、ＲＡに変換して、アナログ音声信号ＬＡ、ＲＡを元通りに再生することが出来る。
【０１４９】
こうして、ＤＡ変換部５８が、デジタル音声信号ＬＤ、ＲＤをＤＡ変換すると、同期信号分離部５５は、Ｒ信号Ｒ、Ｇ信号Ｇ、及び同期信号ＨＤ、ＶＤを分離したＢ信号ＢＰ、即ち、Ｂ信号Ｂを、それぞれ、信号受信器３のＢＮＣケーブル用出力端子３２の、Ｒ出力端子３２Ｒ、Ｇ出力端子３２Ｇ、及びＢ出力端子３２Ｂに出力する。同期信号復元部５６は、復元した水平同期信号ＨＤ、及び垂直同期信号ＶＤを、それぞれ、ＢＮＣケーブル用出力端子３２の、ＨＤ出力端子３２ＨＤ、及びＶＤ出力端子３２ＶＤに出力する。また、ＤＡ変換部５８は、アナログ音声信号ＬＡ、ＲＡを、それぞれ、音声出力端子３３の、左音声出力端子３３Ｌ、及び右音声出力端子３３Ｒに出力する。
【０１５０】
そして、色信号Ｒ、Ｇ、Ｂ、及び同期信号ＨＤ、ＶＤは、図１に示すように、ＢＮＣケーブル６Ｂを介して、また、アナログ音声信号ＬＡ、ＲＡは、ＲＣＡケーブル７Ｂを介して、プラズマディスプレイ１０に入力される。色信号Ｒ、Ｇ、Ｂは、上述したように、減衰が補償された形で、プラズマディスプレイ１０に入力されるので、文字の滲みやボケなどのない良好な映像が、プラズマディスプレイ１０に表示され、当該映像の表示と共に、音声がプラズマディスプレイ１０から出力される。
【０１５１】
このように、本発明に係るケーブル延長装置１は、デジタル信号に変換された音声信号を補償用の信号として利用して、映像信号の減衰を補償するので、波形形状が決まった矩形波を信号受信器３に安定して送信することが出来、画像の解像度やディスプレイの機種に関係なく、減衰色信号ＲＡＴ、ＧＡＴ、ＢＡＴの減衰を正確に補償することが出来る。
【０１５２】
これにより、映像信号を安定して補償しながら、音声信号を信号受信器３に送信することが出来るので、映像出力装置に良好な映像と音声を出力させて、効果的なプレゼンテーションを実現することが出来る。しかも、アナログ音声信号ＬＡ、ＲＡは、再生クロックパルスＣＰＲＢに基づいて、元通りに再生されるので、良好な音声を出力することが出来る。
【０１５３】
また、映像信号と別に補償用の信号を送信する必要がないので、音声信号を信号受信器３に送信するものでありながら、信号線の本数が比較的少ないケーブルで、映像信号の減衰を補償することが出来、ケーブル延長装置１の構成を簡単にすることが出来る。
【図面の簡単な説明】
【図１】図１は、本発明が適用されるケーブル延長装置の一例を示す外観図である。
【図２】図２は、信号送信器及び信号受信器の一例を示す外観図で、（ａ）は信号送信器の背面図、（ｂ）は信号受信器の背面図である。
【図３】図３は、信号送信器及び信号受信器の構成の一例を示すブロック図である。
【図４】図４は、減衰補償部の構成の一例を示すブロック図である。
【図５】図５は、変調処理の説明図で、（ａ）はシリアル音声信号の一例を示すタイムチャート、（ｂ）は（ａ）に示すシリアル音声信号を変調した、シリアル変調信号の一例を示すタイムチャートである。
【図６】図６は、減衰シリアル信号の波形図で、（ａ）は減衰前のパルス、（ｂ）は（ａ）に示すパルスが減衰した、減衰パルス、（ｃ）は（ｂ）に示す減衰パルスの低域波形、（ｄ）は（ｂ）に示す減衰パルスの高域波形である。
【図７】図７は、クロックパルス再生処理の説明図で、（ａ）はシリアル変調信号の一例を示すタイムチャート、（ｂ）は（ａ）に示すシリアル変調信号に基づく、クロックパルス再生信号の一例を示すタイムチャートである。
【符号の説明】
１……ケーブル延長装置
２……信号送信器
３……信号受信器
５Ａ、５Ｂ、５Ｃ、５Ｄ……信号線
４１……音声信号受付手段、デジタル音声信号送信手段（ＡＤ変換部）
４３……デジタル音声信号送信手段（データ加工部）
４５……デジタル音声信号変換手段（変調部）
６０……減衰補償量演算手段、映像信号減衰補償手段、帯域別補償量演算手段、帯域別映像信号補償手段（低域映像補償部）
６１……減衰補償量演算手段、映像信号減衰補償手段、帯域別補償量演算手段、帯域別映像信号補償手段（高域映像補償部）
６２……減衰補償量演算手段、帯域別補償量演算手段（低域矩形波償部）
６３……減衰補償量演算手段、帯域別補償量演算手段（高域矩形波補償部）
６５……帯域分離手段（ローパスフィルタ）
６６……帯域分離手段（ハイパスフィルタ）
６７……減衰補償量演算手段、帯域別補償量演算手段（低域ピーク検出部）
６８……減衰補償量演算手段、帯域別補償量演算手段（高域ピーク検出部）
６９……減衰補償量演算手段、帯域別補償量演算手段（低域ゲイン調整部）
７０……減衰補償量演算手段、帯域別補償量演算手段（高域ゲイン調整部）
ＤＤ……デジタルデータ
ＧＬ、ＧＨ……映像信号の減衰補償量（低域ゲイン、高域ゲイン）
ＬＡ、ＲＡ……音声信号（アナログ音声信号）
ＬＲＡＴ……信号送信器から受信したデジタル音声信号、信号送信器から受信したデジタル変調信号（減衰シリアル信号）
ＬＲＤ……デジタル音声信号（シリアル音声信号）
ＬＲＤＭ……デジタル変調信号（シリアル変調信号）
ＰＬ……デジタルデータのパルス
ＰＬＡＴ……信号送信器から受信したデジタル音声信号に配列されたパルス、信号送信器から受信したデジタル変調信号に配列されたパルス（減衰パルス）
ＰＬＡＴＬ、ＰＬＡＴＨ……複数の帯域に分離されたパルス、信号送信器から受信したデジタル変調信号に配列されたパルス（低域減衰パルス、高域減衰パルス）
ＰＬ０、ＰＬ１……デジタルデータに対応した周波数のパルス
Ｒ、Ｇ、Ｂ……映像信号（Ｒ信号、Ｇ信号、Ｂ信号）
ＲＡＴ、ＧＡＴ、ＢＡＴ……信号送信器から受信した映像信号（減衰Ｒ信号、減衰Ｇ信号、減衰Ｂ信号）
【図１】
2005033403.tif 000003
【図２】
2005033403.tif 000004
【図３】
2005033403.tif 000005
【図４】
2005033403.tif 000006
【図５】
2005033403.tif 000007
【図６】
2005033403.tif 000008
【図７】
2005033403.tif 000009